(57)【要約】      （修正有）【課題】台風や竜巻の大きさと進路を制御して被害を少なくする装置を提供する。【解決手段】送風機３の取り付け角度と出力を制御して上昇気流または下降気流に渦を作り、かつ円筒２内部の圧力を調整することにより台風や竜巻を人工的に発生させる装置。【選択図】図２
2020080845.tif 000002
【特許請求の範囲】
【請求項１】
送風機の取り付け角度と出力を制御して上昇気流または下降気流に渦を作り、かつ円筒内部の圧力を調整することを特徴とする台風や竜巻を人口的に発生させる装置
【請求項２】
上空の送風機や吹き出し口の位置、角度、捩じれ、および円筒の圧力、カバーの開閉状況、等を測定し、測定結果を地上で送受信し送風機やドローン、ヘリコプタ、カバー、の制御量を計算してこれらを制御することを特徴とする台風や竜巻を人口的に発生させる装置
【請求項３】
送風機をドローンのように制御して装置を空中に浮かせて運搬することを特徴とする台風や竜巻を人口的に発生させる装置の運搬手段。
【発明の詳細な説明】
【技術分野】
【０００１】  本発明は、台風や竜巻の大きさと進路を制御して被害を少なくする装置の製造に関するものである。
【背景技術】
【０００２】  従来、台風や竜巻は人工的に制御できないものとしていたが、当社ではその方法について特許を４件出願した。
しかし方法を申請しても具体的な装置に関するものではなかった。
下記４件の特許文献は当社が過去に提出したものである。
【先行技術文献】
【特許文献】
【特許文献１】特開平２００７−０７５０７号公開
【特許文献２】特開平２００７−０７５０８号公開
【特許文献３】特開平２００７−３３１７３号公開
【特許文献４】特願２０１８−２１４１９５  申請
【発明の概要】
【発明が解決しようとする課題】
【０００３】  本発明は上記に示すように４件の台風や竜巻を制御する方法（特許提出）を基にしてこれを実行するための装置を開発することが課題１である。
この装置は１台で例えばアメリカの全ての陸と海をカバーすることが求められるが、装置の大きさは直径２４０ｍ、円筒の高さ２０００ｍ程度になり、これを製造、分解、運搬、組立て、運転、収納、保管、する時間と経費を節約することが課題２である。
また、装置が空中で風や円筒内部の気流に対して安定していることが課題３である。
【課題を解決するための手段】
【０００４】  本発明では送風機を用いて台風や竜巻のエネルギーとなる、地上または海上の熱い空気を上空に送り、また上空の寒気を地上に降下させて台風や竜巻のエネルギーを消滅させる。
熱い空気を上空に放出する場合は送風機を地上または海上に置き、寒気を地上に放出する場合は送風機を上空に浮上させる。【０００５】  送風機が作り出す気流は円筒の中に入れて上空または地上まで送り出し、途中で気流が分散しないようにする。
分散しない上昇気流が出来たところで円筒とカバーを取り除いて小型の台風や竜巻が発生させ、逆に下降気流が出来たところで円筒を取り除くと寒気が下向きの竜巻となって降下し台風や竜巻のエネルギーを消滅させる。
以上は４件の発明で既知である。【０００６】  図１は本発明の熱い空気を上空に放出する場合の送風機３を上から見た図で、風力発電に用いる同期発電機をモーターとして送風機３に使用する。
送風機３のモ−ターは三相電源の相を切り替えれば回転方向が逆になり、また装置そのものを逆にすれば、送風方向を上向きにも下向きにも自由に変えることができる。【０００７】  図１の送風機１と大型送風機２を図示のように枠３，４，５に取り付け、その外周を円筒６によって取り囲む。
大型送風機１台だけでも良いが、この場合は送風機が大きくなり過ぎる。
送風機１、２をモーターで駆動する場合とガスタービンで駆動する場合がある。【０００８】  送風機１の取り付け角度を調整して竜巻のように気流に渦を巻かせながら上昇または下降させる。
図１の枠３，４，５は空気の流れに抵抗しないように断面を流線形にする。
図２は地上または海上の熱い空気を上昇させる装置の１例で、カバー１と円筒２は地上または海上にあり、送風機３を駆動して円筒２に空気を送り、円筒２を２０００ｍ程度直立させてからカバー１を取り外し地上または海上の熱い空気を上空に放出する。【０００９】  放出した熱い空気はカバー１と円筒２を取り外せば、自然の台風または竜巻が発生する。
カバー１を外さなければ大地４の熱い空気が円筒２を通して徐々に上空に放出される。
［図３］は上空の冷気を下向きにして大地４に放出するもので上空に電源が無いので、送風機３はガスタービンを用いて電源を使用しない。【００１０】  しかし上空に大きなガスタービンによる発電機を浮上させて上空の送風機３に電力を供給する場合は、送風機３にモーターを使用することが出来る。
円筒２とカバー１に空気が溜まったらカバー１を外して、上空の冷気を連続的に放出し円筒２とカバー１を外せば送風しなくても自然に連続的に上空の空気が降下する。【００１１】  図１、２，３の円筒２は軽い布または樹脂フィルムを用い、折り畳んだり巻き取ったりして運搬するが、送風機３はドローンのように空中を浮上させて分解せずに運搬する。
２図の場合、送風機３を逆転させたり電源の相を逆にしたりして風向を逆にして浮上させる。
電源は重いので電源車５とケーブルで送風機３に電力を供給する。
送風機３にガスタービンを用いる場合は電源車５が不要である。【００１２】  図２，３の場合、円筒２の内部の圧力が不足すると円筒２が直立せず、円形にならないで、しぼんだり、ねじれたり、折れ曲がったりする。
これを防ぐため図１の送風機１，２の出力と制御し、さらに図２，３に示す円筒２とカバー１の取り外しの状況により円筒２の内部の圧力を制御して円筒２を直立させる。【００１３】  そのため装置の上部の位置、傾斜角度、捩じれ、回転、円筒内部の圧力等を測定し、さらに送風機や円筒、の間にレーザー光線を用いてその位置や角度を測定する。
測定結果は地上４から各部に送受信し図２，３、の送風機３の傾斜角度や出力を制御しさらにドローンやヘリコプターを棒やロープで装置の各部に接続し、装置の安定を保つ。【００１４】  装置の運搬は送風機３の気流を下向きにしてドローンのように空中を浮かせて運搬し円筒やカバーは折り畳んで運搬する。
【発明の効果】
【００１５】  本発明によって台風または竜巻の大きさと進路を制御する方法に関する提出済みの特許４件に対して実際の装置を作ることが出来る。
効果の詳細は下記の通りである。
１、  円筒や送風機の位置、傾斜角度、捩じれ、回転、円筒内部の圧力、を測定し送風機の出力と角度を制御しドローンやヘリコプタを操作して装置を安定に保つ。
２、  送風機の出力とカバーの開閉状況により円筒内部の圧力を調整して円筒を直立させる。
３、  送風機をドローンのように用いて空中を浮上させながら運搬し、円筒やカバーは折り畳んで小さくして運搬する。
【図面の簡単な説明】
【００１６】
【図１】は本発明の装置に用いる送風機を上から見た図である。
【図２】は地上または海上の熱い空気を上空に放出する装置を示す図である。
【図３】は上空の冷気を地上に放出する装置を示す図である。
【符号の説明】
【００１７】［図１］
１                送風機
２                大型送風機
３、４，５        枠
６                円筒
［図２］
１                カバー
２                円筒
３                送風機
４                大地
５                電源車
６                支柱
［図３］
１                カバー
２                円筒
３                送風機
４                大地
【図１】
2020080845.tif 000003
【図２】
2020080845.tif 000004
【図３】
2020080845.tif 000005